(57)【要約】【課題】バルク伝送番組の受信に用いるチューナの起動処理を制御して、バルク伝送放送の選局処理を高速化する。【解決手段】放送受信装置１が、装置の起動開始と連動して、バルク伝送用チューナの起動を開始する。また、放送受信装置１が、受信した放送波に含まれる制御情報によりバルク伝送が行われるか否かを判断し、バルク伝送が行われる場合に、起動を完了したバルク伝送用チューナに対して選局設定を行う。また、バルク伝送が行われない場合に、放送受信装置１が、起動を開始したバルク伝送用チューナの起動を終了させる。【選択図】図１
2011142416.tif 000002
【特許請求の範囲】
【請求項１】
複数のチューナを同時に用いてバルク伝送された番組を受信可能な放送受信装置であって、
放送波を受信するチューナと、
バルク伝送された番組の受信に用いるバルク伝送用チューナと、
当該放送受信装置の起動開始に連動して、前記バルク伝送用チューナの起動を開始する制御手段を備え、
前記制御手段は、前記チューナが受信した放送波に含まれる制御情報に基づいて、バルク伝送が行われるか否かを判断し、バルク伝送が行われる場合には、前記起動を完了したバルク伝送用チューナに対して選局設定を行い、バルク伝送が行われない場合には、前記起動を開始したバルク伝送用チューナの起動を終了させる
ことを特徴とする放送受信装置。
【請求項２】
放送のチャンネルを選局する選局指示を入力する選局指示入力手段を備え、
前記制御手段は、更に、前記選局指示入力手段が選局指示を入力した場合に、前記バルク伝送用チューナの起動を開始する
ことを特徴とする請求項１に記載の放送受信装置。
【請求項３】
前記制御手段は、前記選局指示入力手段が入力した選局指示に対応する放送の種別に応じて、前記バルク伝送用チューナの起動を開始する
ことを特徴とする請求項２に記載の放送受信装置。
【請求項４】
前記制御手段は、前記選局指示入力手段が前記選局指示を入力した後所定の時間経過した時に、前記放送波に含まれる制御情報に基づいて前記バルク伝送が行われるかを判断し、前記バルク伝送が行われない場合に、前記起動を開始したバルク伝送用チューナの起動を終了させる
ことを特徴とする請求項２に記載の放送受信装置。
【請求項５】
前記制御手段は、前記選局指示入力手段が入力した選局指示によって選局されたチャンネルの情報と該チャンネルの選局時の時間情報と該チャンネルの選局時に前記バルク伝送を行ったか否かを示すバルク伝送実施情報とを履歴情報として所定の記憶手段に記憶し、前記履歴情報に基づいて、前記選局指示入力手段が前記チャンネルの選局指示を入力した時の時刻と該チャンネルの情報とに対応するバルク伝送実施情報を取得し、該取得されたバルク伝送実施情報が前記バルク伝送を行ったことを示す場合に、前記バルク伝送用チューナの起動を開始する
ことを特徴とする請求項２に記載の放送受信装置。
【請求項６】
複数のチューナを同時に用いてバルク伝送された番組を受信可能な放送受信装置の制御方法であって、
放送波を受信する放送波受信工程と、
放送受信装置の起動開始に連動して、バルク伝送に用いるバルク伝送用チューナの起動を開始する制御工程とを有し、
前記制御工程は、前記放送波受信工程によって受信された放送波に含まれる制御情報に基づいて、バルク伝送が行われるか否かを判断し、バルク伝送が行われる場合には、前記バルク伝送用チューナに対して選局設定を行い、バルク伝送が行われない場合には、前記起動を開始したバルク伝送用チューナの起動を終了させる
ことを特徴とする放送受信装置の制御方法。
【発明の詳細な説明】
【技術分野】
【０００１】
本発明は、放送受信装置及びその制御方法に関するものである。
【背景技術】
【０００２】
通信に関する技術として、バルク伝送と呼ばれる伝送技術が提案されている。バルク伝送は、複数の回線を同時に使用して伝送を行うことによって、１つの回線で伝送できる以上のデータを伝送する。デジタル放送に関するバルク伝送の技術を適用した放送受信装置が提案されている。この放送受信装置は、複数のチューナを同時に使用して伝送を行って、より多くのデータを伝送する。なお、消費電力を抑えるために装置内の各部の使用状態に応じて通電制御を行うことが一般的に行われている。例えば、下記の特許文献１は、使用中でないチューナを検出し、検出されたチューナの電源をオフするチューナ制御装置を提案している。
【先行技術文献】
【特許文献】
【０００３】
【特許文献１】特開平６−１０５２５１号公報
【発明の概要】
【発明が解決しようとする課題】
【０００４】
図９は、バルク伝送番組を受信する際の放送受信装置の動作例を説明する図である。図９（Ａ）は、この放送受信装置の動作処理フローを示す。まず、放送受信装置が、装置の初期化処理を開始する（ステップＳ１００）。次に、放送受信装置が、最後に選局した衛星放送のチャンネルを選局指示情報として取得する（ステップＳ１０１）。続いて、放送受信装置が、放送受信装置が備えるＢＳチューナに対して、選局指示情報に基づいて選局設定を行う（ステップＳ１０２）。ＢＳは、Ｂｒｏａｄｃａｓｔ  Ｓａｔｅｌｌｉｔｅの略語である。続いて、放送受信装置が、ＢＳチューナからバルク伝送制御情報を取得する（ステップＳ１０３）。バルク伝送制御情報は、放送受信装置に対する制御情報であって、放送局がバルク伝送を行うか否かを示す。続いて、放送受信装置が、バルク伝送制御情報がバルク伝送を行うことを示すかを判断する（ステップＳ１０４）。バルク伝送制御情報がバルク伝送を行わないことを示す場合は、処理を終了する。バルク伝送制御情報がバルク伝送を行うことを示す場合、放送受信装置が、ＢＳバルク受信用チューナの起動を開始する（ステップＳ１０５）。ＢＳバルク受信用チューナは、バルク伝送番組の受信に用いるチューナである。ＢＳバルク受信用チューナは、放送受信装置に設けられる。続いて、放送受信装置が、ＢＳバルク受信用チューナの起動を待つ（ステップＳ１０６）。そして、放送受信装置が、ＢＳバルクチューナに対して選局設定を行う（ステップＳ１０７）。
【０００５】
図９（Ｂ）は、放送受信装置が図９（Ａ）で説明した動作処理を行った場合のチューナ状態の例を示す図である。この例では、放送受信装置が備えるＢＳチューナとＢＳバルク受信用チューナのそれぞれに対応する、時間の推移とチューナ状態とについて説明する。時刻ｔ０において放送受信装置が初期化を開始する（電源オン）。期間Ｔ０後の時刻ｔ１において、放送受信装置が、ＢＳチューナに対して選局設定を行う。期間Ｔ１後の時刻ｔ２において、放送受信装置が、ＢＳチューナが選局しているチャンネルがバルク伝送を行うことを検出し、ＢＳバルク受信用チューナの起動処理を開始する。期間Ｔ２後の時刻ｔ３において、ＢＳバルク受信用チューナの起動が完了すると、放送受信装置が、ＢＳバルク受信用チューナに対して選局設定を行う。期間Ｔ３でＢＳバルク受信用チューナに対する選局設定が完了する。放送受信装置が、期間Ｔ４で、ＢＳチューナとＢＳバルク受信用チューナから入力されたデータを同期をとって合成する。また、放送受信装置が、期間Ｔ５で、上記合成後のデータを映像／音声信号に復号（デコード）する。その結果、時刻ｔ６から放送の視聴が可能となる。従って、期間Ｔ０、Ｔ１、Ｔ２、Ｔ３、Ｔ４、Ｔ５の総和が、放送受信装置が初期化を開始してから放送の視聴が可能になるまでに必要な時間である。
【０００６】
図９を参照して説明した放送受信装置は、バルク伝送制御情報がバルク伝送を行うことを示すことが検出されてから、ＢＳバルク受信用チューナの起動を開始する（図９（Ａ）のステップＳ１０５，図９（Ｂ）を参照）。従って、この放送受信装置によっては、バルク伝送を行うことを示すことが検出されてからすぐにＢＳバルク受信用チューナに選局設定することができない。その結果、放送受信装置が初期化を開始してから放送の視聴が可能になるまでに時間がかかる。
【０００７】
本発明は、バルク伝送番組の受信に用いるチューナの起動処理を制御して、バルク伝送する放送の選局処理を高速化することができる放送受信装置および放送受信装置の制御方法を提供することを目的とする。
【課題を解決するための手段】
【０００８】
本発明の放送受信装置は、複数のチューナを同時に用いてバルク伝送された番組を受信可能な放送受信装置であって、放送波を受信するチューナと、バルク伝送された番組の受信に用いるバルク伝送用チューナと、当該放送受信装置の起動開始に連動して、前記バルク伝送用チューナの起動を開始する制御手段を備える。前記制御手段は、前記チューナが受信した放送波に含まれる制御情報に基いて、バルク伝送が行われるか否かを判断し、バルク伝送が行われる場合には、前記起動を完了したバルク伝送用チューナに対して選局設定を行い、バルク伝送が行われない場合には、前記起動を開始したバルク伝送用チューナの起動を終了させることを特徴とする。
【発明の効果】
【０００９】
本発明の放送受信装置によれば、バルク伝送番組の受信に用いるチューナの起動処理を制御することにより、放送局がバルク伝送を行うことが検知された後すぐにチューナに対して選局設定することができる。その結果、バルク伝送される放送番組の選局処理を高速化することができる。
【図面の簡単な説明】
【００１０】
【図１】実施例１の放送受信装置を説明する図である。
【図２】実施例１の放送受信装置の動作処理を説明する図である。
【図３】実施例２の放送受信装置の動作処理を説明する図である。
【図４】実施例３の放送受信装置の動作処理を説明する図（１）である。
【図５】実施例３の放送受信装置の動作処理を説明する図（２）である。
【図６】実施例４の放送受信装置の構成例を示す図である。
【図７】伝送予測情報と起動判断基準の例を示す図である。
【図８】実施例４の放送受信装置の動作処理フローを示す図である。
【図９】バルク伝送を行う放送受信装置の動作処理例を説明する図である。
【発明を実施するための形態】
【００１１】
図１は、本発明の実施例１の放送受信装置を説明する図である。図１（Ａ）は、実施例１の放送受信装置１の構成例を示す。放送受信装置１は、例えば、テレビジョン放送受信装置であって、アンテナ２に接続している。放送受信装置１は、衛星放送で行われるバルク伝送番組の受信に適用可能である。すなわち、放送受信装置１は、複数のチューナを同時に用いてバルク伝送された番組を受信可能な放送受信装置である。
【００１２】
放送受信装置１は、ＢＳチューナ１１、同期合成部１２、ＢＳバルク受信用チューナ１３、地上Ｄ（Digital ）チューナ１４を備える。また、放送受信装置１は、ＡＶ（Audio Video ）復号部１５、ＡＶ出力部１６、伝送制御情報取得部１７、ＢＳバルク受信用チューナ電源制御部１８を備える。また、放送受信装置１は、選局制御部１９、ユーザインタフェース部２０、選局情報記憶部２１、選局設定情報記憶部２２を備える。放送受信装置１及び放送受信装置１が備える各処理部の機能は、放送受信装置１がハードウェア資源として備えるＣＰＵ（Central Processing Unit ）及びメモリを用いて実現される。
【００１３】
ＢＳチューナ１１は、アンテナ２から衛星放送の放送波を受信し、放送波をデジタルデータに変換して同期合成部１２に出力する放送波受信手段である。また、ＢＳチューナ１１は、デジタルデータに含まれる伝送制御信号からバルク伝送制御情報を検出する。バルク伝送制御情報は、放送受信装置１に対して、放送波に含まれる全チャンネルについて、バルク伝送番組が放送されるか否かを示す情報である。伝送制御情報取得部１７は、ＢＳチューナ１１が検出したバルク伝送制御情報を取得し、選局制御部１９に渡す。
【００１４】
図１（Ｂ）は、バルク伝送制御情報の例を示す図である。バルク伝送制御情報は、接続フラグと接続物理チャンネル番号とを有する。接続フラグはバルク伝送か否かを示す情報である。接続フラグがオン（ＯＮ）の場合、バルク伝送制御情報は、放送受信装置１にバルク伝送番組の受信を行わせることを示す。接続フラグがオフ（ＯＦＦ）の場合、バルク伝送制御情報は、放送受信装置１にバルク伝送番組の受信を行わせないこと、すなわち、通常伝送番組の受信を行わせることを示す。接続物理チャンネル番号は、放送受信装置１がバルク伝送番組の受信を行う場合に、ＢＳバルク受信用チューナ１３に対して設定する受信周波数の取得に使用する物理チャンネル番号である。
【００１５】
図１（Ａ）に戻って、ＢＳバルク受信用チューナ１３は、バルク伝送された番組の受信に用いるバルク伝送用チューナである。ＢＳバルク受信用チューナ１３は、バルク伝送番組の受信を行う際に、アンテナ２から衛星放送の放送波を受信し、放送波をデジタルデータに変換して同期合成部１２に出力する。地上Ｄチューナ１４は、アンテナ２から地上デジタル放送の放送波を受信し、トランスポート・ストリーム（Transport Stream：ＴＳ）に変換して、ＡＶ復号部１５に出力する。
【００１６】
同期合成部１２は，ＢＳチューナ１１、ＢＳバルク受信用チューナ１３から入力されたデジタルデータを同期をとって合成し、ＴＳに変換して、ＡＶ復号部１５に渡す。ＡＶ復号部１５は、渡されたＴＳを映像／音声データ、および番組配列情報（ＳＩ）に分離し、映像／音声データを映像／音声信号に復号して、ＡＶ出力部１６に渡す。ＳＩは、Ｓｅｒｖｉｃｅ  Ｉｎｆｏｒｍａｔｉｏｎの略語である。また、ＡＶ復号部１５は、ＴＳから番組配列情報の分離を行う。ＡＶ出力部１６は，映像及び音声をディスプレイ及びスピーカに出力する。
【００１７】
ユーザインタフェース部２０は、例えば、リモコンからのリモコン信号を受信する。リモコン信号は、例えば、ユーザによるリモコンを用いた操作に応じて入力される信号である。ユーザインタフェース部２０は、受信したリモコン信号を選局指示情報に変換して選局制御部１９に渡す。選局指示情報は、選局する放送の放送種別、チャンネル、選局操作を行った時刻情報を含む。放送種別は、衛星放送、地上デジタル放送等の放送の種別を示す。チャンネルは、ＴＳにおいてはサービスＩＤ（Identification）として表す。すなわち、ユーザインタフェース部２０は、放送のチャンネルを選局する選局指示を入力する選局指示入力手段として機能する。ＢＳバルク受信用チューナ電源制御部１８は、選局制御部１９の指示に従って、ＢＳバルク受信用チューナ１３の通電、初期化処理を制御することによって、ＢＳバルク受信用チューナ１３の起動、終了を制御する。
【００１８】
選局制御部１９は、ＢＳバルク受信用チューナ電源制御部１８、ＢＳバルク受信用チューナ１３、地上Ｄチューナ１４、ＡＶ復号部１５を制御する。また、選局制御部１９は、ユーザインタフェース部２０、選局設定情報記憶部２２、伝送制御情報取得部１７、選局情報記憶部２１を制御する。本発明の実施例に特有の機能として、選局制御部１９は、放送受信装置１の起動開始に連動して、ＢＳバルク受信用チューナ１３の起動を開始する制御手段として機能する。実施例１において、選局制御部１９は、ＢＳチューナ１１が受信した放送波に含まれる制御情報（バルク伝送制御情報）に基いて、全チャンネルに対して、バルク伝送が行われるか否かを判断する。選局制御部１９は、該制御情報がバルク伝送が行われることを示す場合に、起動を完了したＢＳバルク受信用チューナ１３に対して選局設定を行う。選局制御部１９は、該制御情報がバルク伝送が行われることを示さない場合には、起動を開始したＢＳバルク受信用チューナ１３の電源をオフして、その起動を終了させる。
【００１９】
選局設定情報記憶部２２は選局設定情報を記憶する。選局設定情報は、選局制御部１９が地上Ｄチューナ１４、ＢＳチューナ１１、又はＢＳバルク受信用チューナ１３に対して行う選局設定に関する情報である。選局設定情報は、例えば、チャンネル（サービスＩＤ）から物理チャンネル番号への変換、及び、物理チャンネル番号から受信周波数への変換を行うための変換テーブルの形式で記憶される。選局情報記憶部２１は、選局指示情報の履歴情報を記憶する。選局指示情報の履歴情報は、例えば、選局されたチャンネルの情報と該チャンネルの選局時の時間情報と該チャンネルの選局時にバルク伝送が行われたか否かを示すバルク伝送実施情報とを含む。選局指示情報の履歴において最も新しいエントリは、最後に選局されたチャンネルに関する情報である。実施例１の放送受信装置の制御方法は、図１（Ａ）に示す放送受信装置１が備える各処理部の機能によって実現される。
【００２０】
図２は、実施例１の放送受信装置の動作処理を説明する図である。図２（Ａ）は、放送受信装置１の動作処理フローを示す。まず、選局制御部１９が、電源がオンになると、放送受信装置１の初期化処理（起動処理）を開始する（ステップＳ１）。具体的には、選局制御部１９が、ＢＳチューナ１１とＡＶ復号部１５の起動処理を開始する。
【００２１】
次に、選局制御部１９が、放送受信装置１の起動が開始したことを契機として、ＢＳバルク受信用チューナ電源制御部１８に指示して、ＢＳバルク受信用チューナ１３の起動処理を開始する。続いて、選局制御部１９が、選局情報記憶部２１から、最後に選局した衛星放送のチャンネルの情報を含む情報を選局指示情報として取得する（ステップＳ３）。そして、選局制御部１９が、上記ステップＳ３において取得された選局指示情報に含まれるチャンネルの情報と、選局設定情報記憶部２２内の選局設定情報とに基づいて、ＢＳチューナ１１に対して設定する受信周波数を求める。選局制御部１９は、求めた受信周波数をＢＳチューナ１１に対して設定（選局設定）する（ステップＳ４）。
【００２２】
次に、選局制御部１９が、ＢＳチューナ１１が検出したバルク伝送制御情報を伝送制御情報取得部１７から取得するまで待機する（ステップＳ５）。続いて、選局制御部１９が、バルク伝送制御情報によりバルク伝送が行われるか否かを判断する（ステップＳ６）。具体的には、選局制御部１９は、バルク伝送制御情報に含まれる接続フラグがＯＮである場合に、バルク伝送が行われると判断する。選局制御部１９は、バルク伝送制御情報に含まれる接続フラグがＯＦＦである場合に、バルク伝送が行われないと判断する。
【００２３】
選局制御部１９が、バルク伝送が行われないと判断した場合は、選局制御部１９は、ＢＳバルク受信用チューナ１３の電源をオフして、処理を終了する。選局制御部１９が、バルク伝送が行われると判断した場合は、選局制御部１９は、ＢＳバルク受信用チューナ１３が起動するまで待機する（ステップＳ７）。そして、ＢＳバルク受信用チューナ１３が起動を完了すると、選局制御部１９が、ＢＳバルク受信用チューナ１３に対して選局設定する（ステップＳ８）。具体的には、選局制御部１９が、選局設定情報記憶部２２内の選局設定情報を参照して、上記ステップＳ５において取得されたバルク伝送制御情報に含まれる接続物理チャンネル番号に対応する受信周波数を求める。そして、選局制御部１９が、求めた受信周波数をＢＳバルク受信用チューナ１３に対して設定する。
【００２４】
図２（Ｂ）は、実施例１の放送受信装置の動作処理によるチューナ状態と時間の関係を示す図である。時刻ｔ０において、放送受信装置１が起動を開始（電源オン）したことを契機として、すぐにＢＳバルク受信用チューナ１３の起動処理を開始する。時刻ｔ１からｔ１までの期間Ｔ１において、放送受信装置１が、ＢＳチューナ１１に対して選局設定を行う。時刻ｔ２において、放送受信装置１が、ＢＳチューナ１１が検出したバルク伝送制御情報がバルク伝送を示すと判断する。ｔ２の時点で、ＢＳバルク受信用チューナ１３が起動している。従って、放送受信装置１は、ｔ２の時点ですぐにＢＳバルク受信用チューナ１３に対して選局設定を行うことが可能である。期間Ｔ３、Ｔ４、Ｔ５における処理は、図９（Ｂ）を参照して説明した処理と同様である。実施例１の放送受信装置１によれば、期間Ｔ０、Ｔ１、Ｔ３、Ｔ４、Ｔ５の総和が、放送受信装置１の初期化を開始してから放送の視聴が可能になるまでに必要な時間である。
【００２５】
本実施例の放送受信装置１は、ＢＳバルク受信用チューナ１３の起動処理を放送受信装置１の起動の開始を契機として開始するので、ＢＳバルク受信用チューナ１３に対して早期に選局設定することができる。図２（Ｂ）と図９（Ｂ）とを比較すると、以下のことがわかる。すなわち、実施例１の放送受信装置１の動作処理によれば、図９（Ｂ）を参照して説明した放送受信装置の動作処理によるよりも、期間Ｔ２の分だけ放送の視聴が可能になるまでの時間が短縮される。
【００２６】
図３は、本発明の実施例２の放送受信装置の動作処理を説明する図である。実施例２の放送受信装置１の構成は、図１（Ａ）を参照して説明した実施例１の放送受信装置１と同様である。実施例２の放送受信装置が備える選局制御部１９は、ユーザインタフェース部２０が選局指示を入力した場合に、ＢＳバルク受信用チューナ１３の起動を開始する（後述する実施例３、４においても同様である）。また、実施例２の放送受信装置が備える選局制御部１９は、ユーザインタフェース部２０が入力した選局指示に対応する放送の種別に応じて、ＢＳバルク受信用チューナ１３の起動を開始する
【００２７】
図３（Ａ）は、放送受信装置１の動作処理フローを示す。図３（Ａ）中のステップＳ２０３、Ｓ２０４、Ｓ２０５、Ｓ２０６、Ｓ２０７、Ｓ２０８は、それぞれ、図２（Ａ）のステップＳ４、Ｓ２、Ｓ５、Ｓ６、Ｓ７、Ｓ８と同様である。
【００２８】
まず、図３（Ａ）のステップＳ２００において、選局制御部１９が、ユーザインタフェース部２０から選局指示情報を取得する（ステップＳ２００）。選局指示情報は、ユーザがリモコン操作によって入力したリモコン信号をユーザインタフェース部２０が変換した情報であって、選局する放送の放送種別、チャンネル、選局操作を行った時刻の情報を含む。なお、ステップＳ２００において、放送受信装置１の起動時においては、選局制御部１９が、選局情報記憶部２１から最後に選局された放送の放送種別、チャンネル、選局操作を行った時刻の情報を含む選局指示情報を取得する。
【００２９】
次に、選局制御部１９が、選局情報記憶部２１に指示して、ステップＳ２００において取得した選局指示情報を記憶させる（ステップＳ２０１）。続いて、選局制御部１９が、ステップＳ２００において取得された選局指示情報に含まれる放送種別が衛星放送（ＢＳ放送）を示すか、又は地上デジタル放送を示すかを判断する（ステップＳ２０２）。放送種別が衛星放送を示す場合は、ステップＳ２０３に進む。放送種別が地上デジタル放送を示す場合は、ステップＳ２０９に進む。
【００３０】
ステップＳ２０９において、選局制御部１９が、選局指示情報に含まれるチャンネルの情報と、選局設定情報記憶部２２内の選局設定情報とに基づいて、地上Ｄチューナ１４に対して選局設定を行う（ステップＳ２０９）。そして、選局制御部１９が、ＢＳバルク受信用チューナ１３の電源をオフして（ステップＳ２１０）、処理を終了する。実施例２の放送受信装置１によれば、ユーザによる選局指示に対応する放送の種別に基づいてＢＳバルク受信用チューナ１３の起動制御を行うことができる。
【００３１】
図３（Ｂ）は、実施例２の放送受信装置の動作処理によるチューナ状態と時間の関係を示す図である。図３（Ｂ）中に示す期間Ｔ１，Ｔ２，Ｔ３，Ｔ４，Ｔ５の長さは、それぞれ、図９（Ｂ）に示す期間Ｔ１，Ｔ２，Ｔ３，Ｔ４，Ｔ５の長さと同じである。図３（Ｂ）に示す例では、期間Ｔ１が期間Ｔ２より長い。まず、放送受信装置１が、時刻ｔ１においてＢＳチューナ１１に対して選局設定を開始とともに、すぐにＢＳバルク受信用チューナ１３の起動処理を開始する。時刻ｔ２において、放送受信装置１が、ＢＳチューナ１１が検出したバルク伝送制御情報がバルク伝送が行われることを示すと判断する。ｔ２の時点で、ＢＳバルク受信用チューナ１３が起動している。従って、放送受信装置１は、ｔ２の時点で、すぐにＢＳバルク受信用チューナ１３に対して選局設定を行うことが可能になる。期間Ｔ３、Ｔ４、Ｔ５における処理は、図９（Ｂ）を参照して説明した処理と同様である。実施例２の放送受信装置１によれば、期間Ｔ１、Ｔ３、Ｔ４、Ｔ５の総和が、放送受信装置１の初期化を開始してから放送の視聴が可能になるまでに必要な時間である。
【００３２】
実施例２の放送受信装置１の動作処理によれば、図９（Ｂ）を参照して説明した放送受信装置の動作処理によるよりも、期間Ｔ２の分だけ放送の視聴が可能になるまでの時間が短縮される。なお、期間Ｔ２が期間Ｔ１より長い場合においては、実施例２の放送受信装置１が選局設定を開始してから放送の視聴が可能になるまでに必要な時間が、期間Ｔ２、Ｔ３、Ｔ４、Ｔ５の総和となる。その結果、図９（Ｂ）を参照して説明した放送受信装置の動作処理によるよりも、期間Ｔ１の分だけ放送の視聴が可能になるまでの時間が短縮される。
【００３３】
図４及び図５は、本発明の実施例３の放送受信装置の動作処理を説明する図である。実施例３の放送受信装置１の構成は、図１（Ａ）を参照して説明した実施例１の放送受信装置１と同様である。図４は、放送受信装置１の動作処理フローを示す。図４中のステップＳ３００、Ｓ３０１、Ｓ３０２、Ｓ３０３、Ｓ３０５、Ｓ３０６、Ｓ３０７、Ｓ３０８は、それぞれ、図３（Ａ）のステップＳ２００、Ｓ２０１、Ｓ２０３、Ｓ２０４、Ｓ２０５、Ｓ２０６、Ｓ２０７、Ｓ２０８と同様である。
【００３４】
図４のステップＳ３０４において、選局制御部１９が、ＢＳバルク受信用チューナ１３の使用確認処理を開始し（ステップＳ３０４）、ステップＳ３０５に進む。ＢＳバルク受信用チューナ１３の使用確認処理は、選局指示情報が取得された後所定の時間経過した時に、選局制御部１９がバルク伝送制御情報に基いてバルク伝送が行われるか否かを判断する処理である。選局制御部１９は、上記所定の時間として、例えば、予め記憶手段に記憶された、経験に基づいて定まるＢＳバルク受信用チューナ１３の起動時間や、ユーザインタフェース部２０を介してユーザから入力された時間を用いる。例えば、ＢＳバルク受信用チューナ１３の使用確認処理の開始時に、選局制御部１９は、所定の記憶手段からＢＳバルク受信用チューナ１３の起動時間を読み込む。
【００３５】
図５（Ａ）は、図４のステップＳ３０４において開始されるＢＳバルク受信用チューナ１３の使用確認処理を説明する図である。まず、選局制御部１９が、ＢＳバルク受信用チューナ１３の起動時間が終了するのを待つ（ステップＳ１０００）。次に、選局制御部１９が、ＢＳチューナ１１が検出したバルク伝送制御情報を取得する（ステップＳ１００１）。続いて、選局制御部１９が、図２（Ａ）のステップＳ６における処理と同様の処理を行って、バルク伝送制御情報がバルク伝送を行うことを示すかを判断する（ステップＳ１００２）。すなわち、選局制御部１９は、ユーザインタフェース部２０が選局指示を入力した後所定の時間経過した時に、放送波に含まれる制御情報がバルク伝送が行われることを示すか否かを判断する。
【００３６】
バルク伝送制御情報がバルク伝送が行われることを示す場合は、処理を終了する。すなわち、選局制御部１９は、ＢＳバルク受信用チューナ１３を起動したままの状態とする。バルク伝送制御情報がバルク伝送が行われないことを示す場合は、選局制御部１９が、起動を開始したＢＳバルク受信用チューナ１３の電源をオフして（ステップＳ１００３）、その起動を終了させる。
【００３７】
図５（Ｂ）は実施例３の放送受信装置の動作処理によるチューナ状態と時間の関係を示す図である。時刻ｔ１に、放送受信装置１がＢＳチューナ１１に対して選局設定を開始するとともに、ＢＳバルク受信用チューナ１３の起動を開始する。また、放送受信装置１が、時刻ｔ１に、ＢＳバルク受信用チューナ１３の使用確認処理を開始する。時刻ｔ１からＢＳバルク受信用チューナ１３の起動時間（Ｔ６）が経過した時刻である時刻ｔ１０に、放送受信装置１が、バルク伝送制御情報がバルク伝送が行われることを示すか否かを判断する。バルク伝送制御情報がバルク伝送が行われないことを示す場合に、選局制御部１９が、ＢＳバルク受信用チューナ１３の電源をオフする。
【００３８】
実施例３の放送受信装置１によれば、ユーザによる選局指示に応じてＢＳバルク受信用チューナ１３の起動を開始することができる。また、選局指示がされた後所定時間経過後にバルク伝送制御情報がバルク伝送が行われないことを示す場合に、ＢＳバルク受信用チューナ１３の電源をオフすることができる。
【００３９】
図６は、本発明の実施例４の放送受信装置の構成例を示す図である。図６に示す放送受信装置３が備える各処理部のうち、図１（Ａ）に示す放送受信装置１が備える処理部と同符号のものは、図１（Ａ）に示す放送受信装置１が備える処理部と同様である。放送受信装置３は、図１（Ａ）に示す放送受信装置が備える処理部に加えて、伝送予測情報記憶部２３を備える。また、本実施例の放送受信装置の制御方法は、図６に示す放送受信装置３が備える各処理部の機能によって実現される。
【００４０】
伝送予測情報記憶部２３は、選局制御部１９の指示に従って、伝送予測情報を記憶する記憶手段である。伝送予測情報は、履歴情報であって、選局指示情報に基づいて放送受信装置３が選局したチャンネルの情報と、該チャンネルの選局時の時間情報と該チャンネルの選局時にバルク伝送を行ったか否かを示すバルク伝送実施情報とを含む。
【００４１】
図７（Ａ）は、伝送予測情報の例を示す図である。図７（Ａ）中のチャンネルは、選局されたチャンネルの情報を示す。時間帯は、チャンネルの選局時の時間帯を示す。バルク伝送実施状況は、放送局によるバルク伝送実施情報を示す。バルク伝送実施状況の項目に設定された「無」は、放送受信装置３がチャンネルの選局時に、放送局がバルク伝送を行わなかったことを示し、「有」は、放送受信装置３がチャンネルの選局時に、放送局がバルク伝送を行ったことを示す。
【００４２】
実施例４においては、選局制御部１９は、伝送予測情報記憶部２３に記憶した伝送予測情報に基づいて、ユーザインタフェース部２０がチャンネルの選局指示情報を入力した時の時刻と該チャンネルの情報とに対応するバルク伝送実施情報を取得する。そして、選局制御部１９は、該取得されたバルク伝送実施情報がバルク伝送を行ったことを示す場合に、ＢＳバルク受信用チューナ１３の起動を開始する。
【００４３】
図８は、実施例４の放送受信装置の動作処理フローを示す図である。図８中のステップＳ４００、Ｓ４０１、Ｓ４０２は、それぞれ、図４中のステップＳ３００、Ｓ３０１、Ｓ３０２と同様である。また、図８中のステップＳ４０７乃至Ｓ４１１は、図４中のステップＳ３０４乃至Ｓ３０８と同様である。
【００４４】
図８のステップＳ４０３において、選局制御部１９が、ステップＳ４００において選局指示情報が取得された時の時刻と該選局指示情報に対応するチャンネルとに対応する伝送予測情報を伝送予測情報記憶部２３から取得する（ステップＳ４０３）。そして、選局制御部１９が、この伝送予測情報に含まれるバルク伝送実施情報を取得する。すなわち、選局制御部１９は、伝送予測情報記憶部２３に記憶された伝送予測情報に基づいて、ユーザインタフェース部２０がチャンネルの選局指示を入力した時の時刻と該チャンネルの情報とに対応するバルク伝送実施情報を取得する。ステップＳ４０３においては、選局制御部１９は、更に、選局情報記憶部２１から、前回選局を行った時の時刻の情報を取得する。また、選局制御部１９は、前回選局を行った時刻とステップＳ４００において選局指示情報が取得された時の時刻の差、即ち選局間隔を算出する。
【００４５】
次に、選局制御部１９が、ＢＳバルク受信用チューナ１３を起動するかを判断する（ステップＳ４０４）。具体的には、選局制御部１９は、図７（Ｂ）に示す起動判断基準に従って、以下のようにしてＢＳバルク受信用チューナ１３を起動するかを判断する。選局制御部１９が、取得されたバルク伝送実施情報がバルク伝送を行ったことを示すか（図７（Ｂ）中「有」の場合）、又は、算出された選局間隔が所定の閾値以下である場合に、ＢＳバルク受信用チューナ１３を起動すると判断する。すなわち、この場合に、選局制御部１９は、選局されたチャンネルについてバルク伝送が行われると予測する。そして、処理がステップＳ４０５に進み、選局制御部１９が、ＢＳバルク受信用チューナ１３の起動を開始する（ステップＳ４０５）。選局制御部１９が、選局間隔が閾値以下である場合にＢＳバルク受信用チューナ１３を起動すると判断するのは、このような場合には、ユーザが連続して選局操作を行っていることが多く、従って、バルク伝送が行われると予測できるからである。
【００４６】
伝送予測情報に含まれるバルク伝送実施情報がバルク伝送を行わなかったことを示す場合であって（図７（Ｂ）中「無」の場合）、選局間隔が所定の閾値より大きい場合には、選局制御部１９は、ＢＳバルク受信用チューナ１３を起動しないと判断する。そして、処理がステップＳ４０８に進む。
【００４７】
ステップＳ４０６において、選局制御部１９が、ＢＳバルク受信用チューナ１３の起動時間を算出する（ステップＳ４０６）。選局制御部１９は、例えば、所定の記憶手段に予め記憶されたＢＳバルク受信用チューナ１３の起動時間を読み込んで、この起動時間を算出結果とする。選局制御部１９が、選局情報記憶部２１に記憶された前回の選局指示情報に含まれる時刻情報と、ステップＳ４００において選局指示情報が取得された時の時刻との差分に基づき、所定の算出基準を用いて起動時間を算出するようにしてもよい。
【００４８】
ステップＳ４０７において、選局制御部１９が、図５（Ａ）を参照して説明したＢＳバルク受信用チューナ１３の使用確認処理を開始する（ステップＳ４０７）。このＢＳバルク受信用チューナ１３の使用確認処理において、選局制御部１９は、上記ステップＳ４０６において算出された起動時間を用いる。
【００４９】
ステップＳ４１０において、選局制御部１９が、ＢＳバルク受信用チューナ１３が起動するまで待機する（ステップＳ４１０）。ＢＳバルク受信用チューナ１３が起動すると、処理がステップＳ４１１に進む。なお、ステップＳ４０４においてＢＳバルク受信用チューナ１３を起動しないと判断され、その結果ＢＳバルク受信用チューナ１３の起動が開始されていない場合は、選局制御部１９は以下の処理を行う。すなわち、選局制御部１９は、異常系の処理として、ＢＳバルク受信用チューナ１３の起動を開始させた上で、この起動が完了するまで待つ。ステップＳ４１２において、選局制御部１９が、伝送予測情報記憶部２３に記憶されている伝送予測情報に新たなエントリ（１行分のデータ）を追加することによって、伝送予測情報を更新する（ステップＳ４１２）。
【００５０】
例えば、ステップＳ４０９においてバルク伝送を行うと判断された場合、選局制御部１９は、以下の情報を新たなエントリとして追加する。選局制御部１９は、行われたバルク伝送に対応するチャンネルと、このチャンネルが選局指示された時の時刻に対応する時間帯と、バルク伝送が行われたことを示すバルク伝送実施情報とを新たなエントリとする。また、例えば、ステップＳ４０９においてバルク伝送を行わないと判断された場合、選局制御部１９は、以下の情報を新たなエントリとして追加する。選局制御部１９は、選局されたチャンネルと、このチャンネルが選局指示された時の時刻に対応する時間帯と、バルク伝送が行われなかったことを示すバルク伝送実施情報とを新たなエントリとする。
【００５１】
実施例４の放送受信装置３によれば、バルク伝送実施情報又は選局間隔に基づいてバルク伝送が行われないと予測できる場合に、ＢＳバルク受信用チューナ１３の起動処理の開始を抑止して消費電力を抑えることができる。
【００５２】
なお、選局制御部１９が、チャンネル又は時間帯のいずれかに対応付けられたバルク伝送実施情報を含む情報を伝送予測情報として伝送予測情報記憶部２３に記憶するようにしてもよい。図８のステップＳ４０４において、選局制御部１９が、選局されたチャンネル又は時刻に対応するバルク伝送実施情報を伝送予測情報記憶部２３から取得し、このバルク伝送実施情報に基づいて、ＢＳバルク受信用チューナ１３を起動するかを判断してもよい。
【００５３】
また、放送波に含まれる番組配列情報にバルク伝送実施情報と同様の情報が含まれる場合がある。例えば、番組配列情報に含まれるイベント情報テーブル（Ｅｖｅｎｔ  Ｉｎｆｏｒｍａｔｉｏｎ  Ｔａｂｌｅ：ＥＩＴ）に、番組毎にバルク伝送を行うか否かを示す情報が含まれる場合がある。この場合には、選局制御部１９が、上記番組毎にバルク伝送を行うか否かを示す情報をチャンネル又は時間帯に対応付けて、伝送予測情報として伝送予測情報記憶部２３に記憶するようにしてもよい。また、選局制御部１９が、選局されたチャンネル又は時刻に対応する、番組毎にバルク伝送を行うか否かを示す情報を伝送予測情報記憶部２３から取得し、取得した情報に基づいて、ＢＳバルク受信用チューナ１３を起動するかを判断してもよい。
【００５４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００５５】
１  放送受信装置
２  アンテナ
【図１】
2011142416.tif 000003
【図２】
2011142416.tif 000004
【図３】
2011142416.tif 000005
【図４】
2011142416.tif 000006
【図５】
2011142416.tif 000007
【図６】
2011142416.tif 000008
【図７】
2011142416.tif 000009
【図８】
2011142416.tif 000010
【図９】
2011142416.tif 000011